(57)【要約】【課題】  容易に装着することができるとともに、男性に限らず女性の装着にも適したデザインのネクタイを提供する。【解決手段】  ネクタイ１は、装着時に首に巻回されて輪状に形成される巻回部２と、巻回部２の一端部に設けられるとともに、首の前方から胸に垂れ下げられる装飾部３と、巻回部２の他端部に固定されて設けられるとともに、巻回部２の任意の位置に着脱可能である留め具４とから構成されているので、留め具４を巻回部２の任意の位置に取り付けることで、容易に首に装着することができる。しかも、装飾部３をチェーンや、任意に屈曲可能な下向き剣状、長方形状等とすることで、デザイン性が向上する。したがって、男性のみならず女性の装着にも適するようになる。【選択図】      図１
0003111240.tif 000002
【実用新案登録請求の範囲】
【請求項１】
輪状に形成される巻回部と、前記巻回部の一端部に設けられるとともに、巻回部に着脱可能に取り付けられる留め具と、首の前方から胸に垂れ下げられる装飾部とから構成されることを特徴とするネクタイ。
【請求項２】
前記巻回部および装飾部は、一体のチェーンで構成されている請求項１に記載のネクタイ。
【請求項３】
前記装飾部は、線条体で下向き剣状に形成され、全体が任意に屈曲可能となっている請求項１に記載のネクタイ。
【請求項４】
前記装飾部は、線条体で上下方向に長い長方形状に形成され、全体が任意に屈曲可能となっている請求項１に記載のネクタイ。
【考案の詳細な説明】
【技術分野】
【０００１】
本考案は、ネクタイに関し、特にチェーンネクタイに関するものである。
【背景技術】
【０００２】
従来のネクタイは、端部に広がりを有して下向き剣状に形成される布製のものが一般的であり、首への装着時にはワイシャツ等の襟の部分に通して首に巻回した後、結び合わせて結び目部分を形成し、その結び目部分を締め付けることで首に装着するようになっている（例えば、特許文献１参照。）。
【特許文献１】特開２００３−２０５０９号公報
【考案の開示】
【考案が解決しようとする課題】
【０００３】
日常生活においてネクタイは多くの人に装着されているが、従来のものは、ワイシャツ等の襟の部分に通して首に巻回した後に結び合わせて結び目部分を形成し、この後、首に締め付けるという装着方法であったため、装着に手間がかかってしまったり、また、長さが適当でない場合が多々生じていた。
【０００４】
また、ネクタイの装着者のほとんどが男性であって、女性の好みにあったようなデザインのネクタイがなかったため、女性にはあまり装着されていなかった。
【０００５】
本考案のネクタイは、上記のような従来の問題を解決したものであって、首への装着方法に手間がかからず、装着が容易であり、しかも男性に限らず女性が装着するのにも適しているネクタイを提供することを目的としている。
【課題を解決するための手段】
【０００６】
上記のような課題を解決するために、本考案の請求項１に係るネクタイは、輪状に形成される巻回部と、前記巻回部の一端部に設けられるとともに、巻回部に着脱可能に取り付けられる留め具と、首の前方から胸に垂れ下げられる装飾部とから構成される手段を採用している。
【０００７】
また、本考案の請求項２に係るネクタイは、請求項１に記載のネクタイであって、前記巻回部および装飾部は、一体のチェーンで構成されている手段を採用している。
【０００８】
さらに、本考案の請求項３に係るネクタイは、請求項１に記載のネクタイであって、前記装飾部は、線条体で下向き剣状に形成され、全体が任意に屈曲可能となっている手段を採用している。
【０００９】
さらに、本考案の請求項４に係るネクタイは、請求項１に記載のネクタイであって、前記装飾部は、線条体で上下方向に長い長方形状に形成され、全体が任意に屈曲可能となっている手段を採用している。
【考案の効果】
【００１０】
本考案のネクタイは、前記のように、輪状に形成される巻回部と、前記巻回部の一端部に設けられるとともに、巻回部に着脱可能に取り付けられる留め具と、首の前方から胸に垂れ下げられる装飾部とから構成されているので、ネクタイを首に装着することに手間がかからなくなり、装着が容易になる。
また、チェーンや、線条体で形成されて任意に屈曲可能とした下向き剣状、長方形状の形態にすることで、デザイン性が向上する。したがって、男性のみならず女性にも適するようになる。このため男性女性を問わずに装着することができるネクタイになる。
【考案を実施するための最良の形態】
【００１１】
以下、図面に示す本考案の実施の形態について説明する。
図１はシャツの上側にネクタイを装着した状態を示す全体図であり、図２は留め具を示した概略斜視図、図３は装飾部をチェーンで形成したネクタイを示す図、図４は装飾部を下向き剣状に形成したネクタイを示す図、図５は装飾部を上下方向に長い長方形状に形成したネクタイを示す図である。
【００１２】
ネクタイ１は図３から図５に示すように、チェーンで形成されて装着時に首に巻回されて輪状に形成される巻回部２と、この巻回部２の一端部に設けられるとともに、首の前方から胸に垂れ下げられる装飾部３とから構成され、巻回部２の他端部には、巻回部２の任意の位置に着脱可能である留め具４が設けられている。
そして、図３に示すネクタイ１にあっては、装飾部３は巻回部２と一体のチェーンから形成され、図４に示すネクタイ１にあっては、装飾部３は線条体で形成された下向き剣状をなし、全体が任意の状態に屈曲可能となっており、また、図５に示すネクタイ１にあっては、装飾部３は線条体で形成された上下方向に長い長方形状をなし、全体が任意の状態に屈曲可能となっている。
【００１３】
ネクタイ１は、図１に示すように、巻回部２を襟の部分に通して、首に巻回し、首の前方の位置で、留め具４を巻回部２の任意の位置に取り付けることによって、首に装着することができる。留め具４は、巻回部２の任意の位置に着脱可能であり、装着者によって異なる首周りの大きさに対応することができるとともに、装着者の好みの留め位置にすることができる。
【００１４】
巻回部２はチェーンで形成されており、留め具４の留め位置が多くなるようにある程度の間隔で区切り目の細かいチェーンであることが好ましい。
【００１５】
留め具４は、図２に示すように、環状体の一部に切り欠き部分が設けられている略Ｃ形状の留め具本体部５と、その留め具本体部５の切り欠き部分を開閉する開閉軸６とから構成されている。
【００１６】
留め具本体部５は、金属等の円柱の捧を略Ｃ形状に形成したものであって、留め具本体部５の一端面には、開閉軸６が没入できる孔７が設けられている。
【００１７】
また、留め具本体部５の一端部の外周面部には、溝８が設けられており、さらに、留め具本体部５の外周面部には、巻回部２の他端部に固定して接続するための接続部９が突出するように設けられている。
【００１８】
開閉軸６は、留め具本体部５の両端部間の切り欠き部分を塞ぐように設けられている。また、開閉軸６には、前記溝８から突出した状態の突起１０が設けられており、その突起１０が、溝８に沿ってスライド可能となっており、開閉軸６の端部は、留め具本体部５の孔７の内部に設けられている。
【００１９】
そして、留め具本体部５の孔７の内部には、開閉軸６の端部との間に位置するスプリング１１が設けられており、前記開閉軸６を常時突出状態に押圧しているとともに、この突出状態は開閉軸６の突出端が留め具本体部５に当接することで切り欠き部分が閉塞状態となっている。
【００２０】
また、前記留め具本体部５の切り欠き部分を開放する場合は、前記スプリング１１に抗して指で突起１０をスライドすることで、孔７の内部に開閉軸６が挿入されていき、留め具本体部５の切り欠き部分が開かれる。また、スライドした突起１０から指を離すことで、孔７の内部に設けられたスプリング１１の付勢力によって、開閉軸６が押し出されて切り欠き部分が閉じられる。
【００２１】
なお、留め具４は、本考案の実施の形態に限定することなく、また、巻回部２の任意の位置に着脱可能であればよい。
【００２２】
図３は巻回部２および装飾部３が一体のチェーンで形成されているネクタイ１の形態を示しており、この実施の形態においては、棒タイのように全体がチェーンのみから構成されている。
【００２３】
図４は装飾部３が線条体で下向き剣状に形成されて任意に屈曲可能となっているネクタイ１の形態を示しており、装飾部３は外枠部１２が下向き剣状に形成されるとともに、その下向き剣状の外枠部１２の内側部間を繋ぐように複数のブリッジ部１３が設けられている。
【００２４】
図５は装飾部３が線条体で上下方向に長い長方形状に形成されて任意に屈曲可能となっているネクタイ１の形態を示しており、装飾部３は外枠部１２が長方形状に形成されるとともに、その長方形状の外枠部１２の内側部間を繋ぐように複数のブリッジ部１３が設けられている。
【００２５】
なお、前記下向き剣状や長方形状を構成するに際しては、複数の線条体を溶接等の接合手段によって一体に接合したり、あるいは可撓性のある板材を打ち抜き等でそれらの形状に形成したりするものである。
【００２６】
装飾体３は、チェーン自体や、あるいは線条体を組み合わせて任意に屈曲可能に形成してあるので、装着者の体の動きに対応して全体が屈曲するようになり、体の動きに対してネクタイ１が邪魔になることがない。
【００２７】
なお、装飾部３は、本考案の実施の形態に限定することなく、大きさや素材等がどのようなものであってもよいが、ネクタイ１を装着した場合に首に負担がかからない程度に、装飾部３が軽量に形成されていることが好ましい。
【００２８】
ネクタイ１は、上記のような構成にすることによって、留め具４を巻回部２の任意の位置に取り付けることが容易になるため、装着が容易になる。
【００２９】
また、巻回部２の一端部に設けられた装飾部３によって、ネクタイのデザイン性が広がり、女性の装着にも適したものになる。
【図面の簡単な説明】
【００３０】
【図１】ネクタイを装着した状態を示す全体図である。
【図２】留め具を示した概略斜視図である。
【図３】装飾部をチェーンで形成したネクタイを示す図である。
【図４】装飾部を下向き剣状に形成したネクタイを示す図である。
【図５】装飾部を長方形状に形成したネクタイを示す図である。
【符号の説明】
【００３１】
１  ネクタイ
２  巻回部
３  装飾部
４  留め具
５  留め具本体部
６  開閉軸
７  孔
８  溝
９  接続部
１０  突起
１１  スプリング
１２  外枠部
１３  ブリッジ部
【図１】
0003111240.tif 000003
【図２】
0003111240.tif 000004
【図３】
0003111240.tif 000005
【図４】
0003111240.tif 000006
【図５】
0003111240.tif 000007